(57)【特許請求の範囲】
【請求項１】
内視鏡装置において、光源と内視鏡と信号処理手段から成り、前記光源は可視光領域を含む光源で、前記内視鏡は前記光源による戻り光を撮像する撮像光学系を有する内視鏡で、前記信号処理手段は前記撮像光学系からの撮像信号を処理する信号処理手段であり、被写体からの戻り光のうち青色及び緑色の波長帯を含み赤色の波長帯を含まない波長帯域に対して、瞳の面積が大きくなるように前記撮像光学系瞳近傍に分光透過率分布を備えることを特徴とする内視鏡装置。
【請求項２】
内視鏡装置において、光源と内視鏡と信号処理手段から成り、前記光源は、光感受性物質または体腔組織の自家蛍光の励起波長領域にある励起光を生体内部に照射する励起光光源で、前記内視鏡は、前記励起光が照射された部位から発せられた蛍光像を撮像する撮像光学系を有する内視鏡で、前記信号処理手段は前記撮像光学系からの撮像信号を処理する信号処理手段であり、前記撮像光学系は、緑色の波長帯を含む蛍光波長帯域に対して瞳の面積が大きくなるように、前記撮像光学系瞳近傍に分光透過率分布を備えることを特徴とする内視鏡装置。
【請求項３】
内視鏡装置において、光源と内視鏡と信号処理手段から成り、前記光源は可視光領域を含む光源で、前記内視鏡は前記光源による戻り光を撮像する撮像光学系を有し、さらに、各物体距離における撮像光学系の光伝達関数を光学的に変更して被写界深度を増大させる光位相マスクを備えていて、前記光位相マスクは、前記瞳面積を大きくした波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段を含む信号処理手段であり、前記撮像光学系は、被写体からの戻り光のうち青色の波長帯を含み赤色の波長帯を含まない波長帯域に対して、瞳の面積が大きくなるように前記撮像光学系瞳近傍に分光透過率分布を備えることを特徴とする内視鏡装置。
【発明の詳細な説明】
【０００１】
【発明の属する技術分野】
本発明は、医療用内視鏡及び工業用内視鏡に関する。
【０００２】
【従来の技術】
従来より、照明光を照射し体腔内の内視鏡画像を得る内視鏡装置が広く用いられている。この種の内視鏡システムでは、光源装置からの照明光を体腔内にライトガイド等を用い導光しその戻り光により被写体を撮像する撮像手段を有する電子内視鏡が用いられ、ビデオプロセッサにより撮像手段からの撮像信号を信号処理することにより観察モニターに内視鏡画像を表示し患部等の観察部位を観察するようになっている。
【０００３】
内視鏡装置において通常の生体組織観察を行なう場合は、光源装置で可視光領域の白色光を発光し、例えば赤（R）色・緑（G）色・青（B）色の回転フィルタを介することで面順次光を被写体に照射し、この面順次光による戻り光をビデオプロセッサで同時化し画像処理することでカラー画像を得たり、内視鏡の撮像手段の撮像面の全面にカラーチップを配し白色光による戻り光をカラーチップにて赤（R）色・緑（G）色・青（B）色に分離する事で撮像しビデオプロセッサで画像処理することで、カラー画像を得ている。
【０００４】
内視鏡による観察や処置を行なう為に必要な画像は、見た目と同じ自然画像であるよりも診断に有効に最適化された画像である事が好ましい。体腔内組織に対する光の深さ方向の深達度は、光の波長に依存しており、青（Ｂ）色のような波長が短い場合、生体組織での吸収特性及び散乱特性により表層付近までしか光は到達せず、そこまでの深さの範囲で吸収、散乱を受け、表面から出た光が観察される。また、青（Ｂ）色光より波長が長い、緑（Ｇ）色光の場合、青（Ｂ）色光が深達する範囲よりさらに深い所まで深達し、その範囲で吸収、散乱を受け、表面から出た光が観測される。さらにまた、緑（Ｇ）色光より波長が長い、赤（Ｒ）色光は、さらに深い範囲まで光が到達する。
【０００５】
図５において、体腔内組織５１は、例えば深さ方向に異なった血管等の吸収体分布構造を持つ場合が多い。粘膜表層付近には主に毛細血管５２が多く分布し、またこの層より深い中層には毛細血管のほかに毛細血管より太い血管５３が分布し、さらに深層はさらに太い血管５４が分布するようになる。
【０００６】
そこで上記生体特性を考慮して、光源装置の分光分布等を最適化したものとしては、特願2001−88256号の明細書等に、離散的な分光特性の狭帯域な面順次光で、所望の生体組織の深層組織情報を得て診断する内視鏡装置が記載されている。
【０００７】
その他にも照明光と被写体との相互作用である蛍光を使って、反射光では得られない生体情報の画像を観察する内視鏡技術がある。
内視鏡等により生体からの自家蛍光や生体へ薬物を注入し、その薬物の蛍光を２次元画像として検出し、その蛍光像から、生体組織の変性や癌等の疾患状態（例えば、疾患の種類や浸潤範囲）を診断する内視鏡装置等が特開2001−198079号等に開示されている。これは、生体細胞に４２０ｎｍ〜４８０ｎｍの波長の励起光を照射すると、生体組織の正常部位は、赤（Ｒ）色領域の蛍光に比してかなり強い緑色の蛍光を発し、生体組織の腫瘍部位は、正常部位に対して緑色の蛍光強度が低下することを利用し、信号の明暗により観察されている。
【０００８】
さらに、内視鏡撮像光学系を最適化したものとしては、被写界深度を増大した内視鏡システムが特開2000−5127号に開示されている。
撮像光学系の被写界深度を増大する手法は、特表平11−500235号（米国特許5,748,371号）に開示されている。この手法による装置は図11に示されるように、CCD等の撮像手段と、物体の像を撮像手段の受光面に結像させるレンズ系と、光学系の瞳位置に配置された光位相マスク（図12参照）と、撮像手段からの画像データに基づいて画像を構築する画像処理装置とを有している。光位相マスクを持たない通常の結像光学系では、物体が合焦位置からずれるにしたがって光学的伝達関数（OTF）の強度分布が図13から図14さらに図１5へと変化する。
【０００９】
これに対して前記光位相マスクを持つ被写界深度増大光学系では、同じずれに対するOTFの強度分布はそれぞれ図16と図17と図18に示されるようになり、その変化は少ない。ここで示す図13〜図22の横軸は像面の相対的な空間周波数で２は撮像素子のナイキスト周波数に相当するものであり、縦軸は撮像光学系の光学的伝達関数を示す。この光学系によって結像された画像は、画像処理装置によって、図19に示される特性の逆フィルタによる処理が行われ、図16と図17と図18に示されるOTFの強度分布に対してそれぞれ図20と図21と図22に示されるOTFの強度分布が得られる。これらは、いずれも、通常の光学系の合焦時のOTFの強度分布に近い形を有している。
【００１０】
【発明が解決しようとする課題】
▲１▼通常、内視鏡による体腔内組織の観察の際、白色光や図３に示したように各波長域がオーバーラップした面順次光では、各波長の光が一様に混合されているために、撮像して得られる画像は色再現の良い自然な画像となる反面、内視鏡として観察したい体腔内組織深部の情報が、他の深部の情報と混ざり、コントラストの低い形での観察を余儀なくされるといった問題がある。また、前記離散的な分光特性の狭帯域な面順次光による内視鏡観察は、所望の深層組織情報を得る事ができるが、照明の波長帯域を狭めるために、照明光は、色再現に適したRGBの波長帯がオーバーラップした分光特性の面順次光による照明に比べ暗くなるといった問題がある。
【００１１】
▲２▼さらに、緑（Ｇ）色光や特に青（Ｂ）色光からの戻り光は、高周波成分の多い被写体が多い為に、赤（Ｒ）色光に比べて被写界深度が狭いといった問題がある。
【００１２】
▲３▼また、前記離散的な分光特性の狭帯域な面順次光での観察は、帯域が狭くなる為の透過光量減少による明るさ不足、蛍光観察においては、蛍光が微弱信号である為の明るさ不足といった問題がある。この明るさ不足を補う為に対物光学系のＦナンバーを小さくすると、被写界深度が狭くなる。その結果、食道などの動きの激しい部位では特に、観察距離を保ちつつ、常に合焦させておく事が難しいので被写界深度を広くすることは必須であり、かつ蛍光像がコントラストの良い画像である事が望ましい。
【００１３】
本発明は、上記事情に鑑みてなされたものであり、
▲１▼生体組織の組織表面近くの所望の深部の組織情報をコントラストを良く観察できる内視鏡装置、
▲２▼緑（Ｇ）色光や青（Ｂ）色光の波長帯の戻り光も被写界深度の広い内視鏡装置、
▲３▼離散的な分光特性の狭帯域な面順次光による観察や蛍光観察のような微弱光観察においても明るくかつ内視鏡観察として所望の深度のある画像が得られるような内視鏡装置、
を提供することを目的としている。
【００１４】
【課題を解決するための手段】
本発明は、内視鏡装置において、光源と内視鏡と信号処理手段から成り、前記光源は可視光領域を含む光源で、前記内視鏡は前記光源による戻り光を撮像する撮像光学系を有する内視鏡で、前記信号処理手段は前記撮像光学系からの撮像信号を処理する信号処理手段であり、被写体からの戻り光のうち強調したい波長帯域に対して、瞳の面積が大きくなるように前記撮像光学系瞳近傍に分光透過率分布を備えることを特徴とする。
【００１５】
また、各物体距離における撮像光学系の光伝達関数を光学的に変更して被写界深度を増大させる光位相マスクを備えていて、前記光位相マスクは、前記瞳面積を大きくした波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００１６】
また、撮像光学系の瞳の面積は、赤色以外の可視光の波長帯が大きくなるように前記撮像光学系瞳近傍に分光透過率分布を備えることを特徴とする。
また、各物体距離における撮像光学系の光伝達関数を光学的に変更して被写界深度を増大させる光位相マスクを備えていて、前記光位相マスクは、前記瞳面積を大きくした赤色以外の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００１７】
また、前記光源から照明光は、少なくとも一つの離散的な分光分布を持つ赤色、緑色、青色の回転フィルタを介した狭帯域な面順次光であることを特徴とする。
【００１８】
また、各物体距離における撮像光学系の光伝達関数を光学的に変更して被写界深度を増大させる光位相マスクを備えていて、前記光位相マスクは、前記瞳面積を大きくした赤色以外の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００１９】
また、前記撮像光学系の瞳の面積を大きくする赤色以外の波長帯は
400nm≦λ≦430nm  及び  550nm≦λ≦580nm
の波長帯を含んでいることを特徴とする。
【００２０】
また、撮像光学系の瞳の面積は、青色の可視光の波長帯が大きくなるように前記撮像光学系瞳近傍に分光透過率分布を備えることを特徴とする。
また、各物体距離における撮像光学系の光伝達関数を光学的に変更して被写界深度を増大させる光位相マスクを備えていて、前記光位相マスクは、前記瞳面積を大きくした青色の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００２１】
また、前記光源からの照明光は、少なくとも一つの離散的な分光分布を持つ赤色、緑色、青色の回転フィルタを介した狭帯域な面順次光であることを特徴とする。
【００２２】
また、撮像光学系内に被写界深度を増大させる光位相マスクを備え、瞳の面積を大きくした青色の可視域の波長帯に対して前記光位相マスクは、前記光位相マスクによって変更されていない光伝達関数に比べて、被写体の距離に対して光伝達関数がほとんど変化しないように構成及び配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００２３】
また、前記撮像光学系の瞳の面積を大きくする青色の可視域の波長帯は
400nm≦λ≦430nm
の波長帯を含んでいることを特徴とする。
【００２４】
また、本発明は、内視鏡装置において、光源と内視鏡と信号処理手段から成り、前記光源は、光感受性物質または体腔組織の自家蛍光の励起波長領域にある励起光を生体内部に照射する励起光光源で、前記内視鏡は、前記励起光が照射された部位から発せられた蛍光像を撮像する撮像光学系を有する内視鏡で、前記信号処理手段は前記撮像光学系からの撮像信号を処理する信号処理手段であり、前記撮像光学系は、蛍光波長帯に対して瞳の面積が大きくなるように、前記撮像光学系瞳近傍に分光透過率分布を備えることを特徴とする。
【００２５】
また、各物体距離における撮像光学系の光伝達関数を光学的に変更して被写界深度を増大させる光位相マスクを備えていて、前記光位相マスクは、前記瞳面積を大きくした蛍光波長帯に対して蛍光内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする。
【００２６】
また、前記撮像光学系の瞳の面積を大きくする波長帯は
550nm≦λ≦600nm
を含んでいることを特徴とする。
【００２７】
また、本発明は、内視鏡装置において、光源と内視鏡と信号処理手段から成り、前記光源は可視光領域を含む光源で、前記内視鏡は前記光源による戻り光を撮像する撮像光学系を有し、さらに、各物体距離における撮像光学系の光伝達関数を光学的に変更して被写界深度を増大させる光位相マスクを備えていて、前記光位相マスクは、前記瞳面積を大きくした波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段を含む信号処理手段であり、前記撮像光学系は、被写体からの戻り光のうち青色又は緑色の波長帯を含む波長帯域に対して、瞳の面積が大きくなるように前記撮像光学系瞳近傍に分光透過率分布を備えることを特徴とする。
【００２８】
また、撮像光学系の瞳の面積は、赤色以外の可視光の波長帯が大きくなるように前記撮像光学系瞳近傍に分光透過率分布を備えていることを特徴とする。
また、前記光源からの照明光は、少なくとも一つの離散的な分光分布を持つ赤色、緑色、青色の回転フィルタを介した狭帯域な面順次光であることを特徴とする。
【００２９】
また、撮像光学系の瞳の面積は、青色の可視光の波長帯が大きくなるように前記撮像光学系瞳近傍に分光透過率分布を備えていることを特徴とする。
また、前記光源からの照明光は、少なくとも一つの離散的な分光分布を持つ赤色、緑色、青色の回転フィルタを介した狭帯域な面順次光であることを特徴とする。
【００３０】
（作用）撮像光学系内の瞳近傍に、コントラストを高くしたい波長帯をより多く光を通す、つまり瞳の面積が大きくなるような分光透過率分布を持つ光学素子を配置すると、特定の波長帯の情報（光量）が他の波長帯に比べ多くなる事、Ｆナンバーが小さくなり光伝達関数が高くなる事によって、瞳の面積を大きくした波長帯のコントラストが高くなる。これで、光源の分光透過率分布を選ばずに、内視鏡観察として必要な波長帯の情報を強調させる、つまりコントラストの高い画像として観察する事が可能となる。
【００３１】
前記撮像光学系の明るくした波長帯は、Fナンバーが小さいので、その結果被写界深度が狭くなる。そこで、開口を大きくした波長域に対して、撮像光学系内に光位相マスクを配置して空間周波数特性変換を行ない、物体が合焦位置からずれても、ボケ程度をほぼ一定にする。そのボケ程度がほぼ一定となった波長帯の画像に対して、空間周波数を復元するような信号処理を行なう事により、選択的にコントラストを高くした組織深部情報の被写界深度拡大が行える。
【００３２】
内視鏡の実用被写界深度は、観察物体に対して大体２ｍｍから１００ｍｍの範囲で設定される。例えば医療用の内視鏡において、体腔内をスクリーニングして病変部を確認し、その病変部に対して組織の一部を採取するなどの処置を行う用途では１０ｍｍから１００ｍｍの範囲に設定される。また上記病変部を近接拡大して、より詳細な病変部の組織情報を得る用途では２ｍｍから３０ｍｍの範囲に設定される。また上記の２つの用途を兼ね備える内視鏡では、３ｍｍから８０ｍｍ程度の範囲に設定される。また蛍光観察など特定の波長の光を使用して観察を行う内視鏡では、生体の正常部位と病変部位の境界を特定するために、病変部の全体像を映し出せる程度の被写界深度を確保する一方で、上記病変部が生体組織に対してどの程度浸潤しているかを特定するために、上記病変部を近接拡大して観察する必要があり、実用被写界深度は２ｍｍから５０ｍｍに設定される。このように内視鏡の実用被写界深度は、観察物体に対して大体２ｍｍから１００ｍｍの範囲で内視鏡の用途に応じて適宜設定されるが、いずれの場合でも本発明を適用することができる。
【００３３】
ここで、被写界深度について図３４を用いて説明する。撮像光学系６０によって物体Ｏの像Ｉが形成されるとき、この像Ｉの位置にCCDを配置することでピントが合った像を得ることができる。物体Ｏを近接し撮像光学系６０からＸnの距離のO'の位置とすると、像位置はＩの位置からずれてＩ'の位置に形成される。逆に物体Ｏを遠方にし撮像光学系６０からＸfの距離のO"の位置とすると、像位置はＩ"の位置に形成される。CCDの位置が固定されているとすると、CCD位置における像Ｉ'およびＩ"は錯乱円径δとなりピントボケした画像になる。しかしながら、CCDの分解能が錯乱円径δより大きい場合、画像はCCDの分解能で決定し、物体がＯ'からＯ"の距離の範囲Ｄ（＝Ｘf−Ｘn）にあるときはピントが合っているように感じられる。この範囲Ｄを被写界深度と呼ぶ。光学系の実効ＦナンバーをＦnoEFF、焦点距離をｆLとすると
｜１／Ｘn−１／Ｘf｜＝２δＦnoEFF／ｆL2
が成り立つ。
【００３４】
生体組織上で、腫瘍がどこまで広がっているか（病変の範囲）を正確に診断する場合、青色から緑色光を用いて生体組織の表層付近から深さ方向に走行している血管構造を詳細に調べることは非常に有効な診断方法である。
【００３５】
内視鏡観察において、赤色以外の体腔組織深部情報を高コントラストにし、かつ広い被写界深度を実現する為に、赤色以外の波長帯域に対して撮像光学系の瞳を大きくすると上記観察が可能になる。また、瞳を大きくした赤色光以外の波長域に対して、撮像光学系内に光位相マスクを配置して空間周波数特性変換を行ない、物体が合焦位置からずれても、ボケ程度をほぼ一定にする。そのボケ程度がほぼ一定となった波長帯の画像に対して、空間周波数を復元するような信号処理を行ない、コントラストを高くした組織深部情報の被写界深度を拡大すると更に効果的な観察になる。
【００３６】
生体組織において、特に早期癌病変部では生体粘膜表層に分布する毛細血管の構造に癌特有の変化が現れる。そこで拡大倍率の高い対物光学系を用いて粘膜表層を拡大し、さらに青色光を用いて粘膜表層に分布する毛細血管を観察する。
【００３７】
青色の波長帯に対して撮像光学系の瞳を大きくすると上記生体粘膜表層の観察が可能になる。さらに、瞳を大きくした青色の波長域に対して、撮像光学系内に光位相マスクを配置して空間周波数特性変換を行ない、物体が合焦位置からずれても、ボケ程度をほぼ一定にする。そのボケ程度がほぼ一定となった波長帯の画像に対して、空間周波数を復元するような信号処理を行ない、コントラストを高くした組織深部情報の被写界深度を拡大すると、粘膜表層部分に多くある毛細血管は空間周波数が高い為に、瞳を大きくして被写界深度が狭くなった光学系を内視鏡観察により適した形で提供できる。
【００３８】
また、RGBの回転フィルタの分光特性を離散的かつ狭帯域な面順次光とする事で照明光からの戻り光の情報が限定されて、より所望の深部の組織情報を視認する事が可能となり、瞳を大きくした波長帯に対して、深度拡大を行ない、観察深度を深くするとより良い。
【００３９】
励起光により、生体からの、または生体への薬物注入した結果の薬物の蛍光は、励起波長帯により得られる蛍光波長帯域が特定される。内視鏡による蛍光観察を行なう場合、通常の反射、散乱光による戻り光を背景として部位等の確認をする。その蛍光信号をよりコントラスト良く観察する為に、蛍光波長帯域のみ瞳を大きくするように瞳近傍に分光透過率分布を備え、実現する。さらに、蛍光観察は信号が微弱光である為に、撮像光学系に対して被写体が近接するケースが多い。そこで被写界深度を拡大するとさらに効果的となる。
【００４０】
【発明の実施例】
以下、図面を参照して本発明の内視鏡装置の実施例を説明する。
（実施例１）
図１に示すように、本実施例の内視鏡装置１は、体腔内に挿入し体腔内組織を撮像する撮像手段として撮像素子２及び撮像光学系21を有する電子内視鏡3と、電子内視鏡3に照明光を供給する光源装置4と、電子内視鏡3のCCD２からの撮像信号を信号処理して内視鏡画像を観察モニター5に表示したり内視鏡画像を符号化して圧縮画像としてデジタルファイリング装置6に出力するビデオプロセッサ7とから構成される。
【００４１】
光源装置4は、照明光を発光するキセノンランプ11と、白色光の熱線を遮断する熱線カットフィルタ12と、熱線カットフィルタ12を介した白色光の光量を制限する絞り装置13'と、照明光を面順次光にする回転フィルタ14と、回転フィルタ14の回転を制御する制御回路17とを備えて構成される。
【００４２】
回転フィルタ14は、図2に示すように、円盤状に構成され中心を回転軸とした2重構造となっており、外側の径部分には図3に示すような色再現に適したオーバーラップした分光特性の面順次光を出力するための第１のフィルタ組を構成するＲ1フィルタ14ｒ1、G１フィルタ14g１、B1フィルタ14ｂ1が配置され、内側の径部分には図４に示すような所望の深層組織情報が抽出可能な離散的な分光特性の狭帯域な面順次光を出力するための第2のフィルタ組を構成するR2フィルタ14ｒ2、G2フィルタ14g２、B2フィルタ14b2が配置されている。そして、回転フィルタ14は、図１に示すように、制御回路17により回転フィルタモータ18の駆動制御がなされ回転され、また径方向の移動（光源内光学系の光軸に対し垂直な移動であって、回転フィルタ１４の第１のフィルタ組あるいは第２のフィルタ組を選択的に光軸上に移動）が後述するビデオプロセッサ7内のモード切替回路42からの制御信号によりモード切替モータ19によって行われる。
【００４３】
なお、キセノンランプ11、絞り装置13'、回転フィルタモータ18及びモード切替モータ19には電源部10より電力が供給される。
ビデオプロセッサ7は、CCD2を駆動するCCDドライバ20と、撮像光学系21を介してCCD2により体腔内組織を撮像した撮像信号を増幅するアンプ22と、アンプ22を介した撮像信号に対して相関2重サンプリング及びノイズ除去等を行うプロセス回路23と、プロセス回路23を経た撮像信号をデジタル信号の画像データに変換するA/D変換器24と、面順次光の各画像データを読み出しガンマ補正処理、輪郭強調処理、色処理等を行なう画像処理回路30と、画像処理回路30からの画像データをアナログ信号に変換するD/A回路31,32,33と、D/A回路31,32,33の出力を符号化する符号化回路34と、光源装置4の制御回路17からの回転フィルタ14の回転に同期した同期信号を入力し各種タイミング信号を上記各回路に出力するタイミングジェネレータ35とを備えて構成される。
【００４４】
また、本発明の内視鏡装置は、複数の種類の電子内視鏡を接続することができるようになっており、複数の種類の電子内視鏡の中、少なくとも１つの電子内視鏡３は、その撮像光学系21内に光位相マスクである瞳変調素子のような空間周波数特性変換手段13及び撮像光学系の瞳43には光の波長によって有効Fナンバーが異なる分光透過率分布が設けられている。そして、ビデオプロセッサ7には接続された電子内視鏡３の空間周波数特性に対応した空間周波数復元手段が画像処理装置30によって、RGB各波長帯域の空間周波数特性に対応した逆周波数特性フィルタ、又はそれに相当するデジタルフィルタのプログラムデータ（式や数値）が保存されているメモリ44から転送されて、電子内視鏡３で得られた画像に対して空間周波数特性の復元処理が行なわれる。また、接続された電子内視鏡３の種類を判別する為に、電子内視鏡３内に判別回路41及びビデオプロセッサ7に制御装置45がある。
【００４５】
次に、このように構成された本実施例の内視鏡装置の作用について説明する。
図5において、体腔内組織51は、例えば深さ方向に異なった血管等の吸収体部分布構造を持つ場合が多い。粘膜表層付近には主に毛細血管52が多く分布し、またこの層より深い中層には毛細血管の他に毛細血管よりも太い血管53が分布し、さらに深層にはさらに太い血管54が分布するようになる。
【００４６】
一方、光は体腔内組織51に対する光の深さ方向の深達度は、光の波長に依存しており、可視域を含む照明光は、図6に示すように、青（B）色光のような波長が短い光の場合、生体組織での吸収特性及び散乱特性により表層付近までしか光は深達せず、そこまでの深さの範囲で吸収、散乱を受け、表面から出た光が観測される。また、青（B）色光より波長が長い、緑（G）色光の場合、青（B）色光が深達する範囲よりさらに深い所まで深達し、その範囲で吸収、散乱を受け、表面から出た光が観測される。さらにまた、緑（G）色光より波長が長い、赤（R）色光は、さらに深い範囲まで光が到達する。
【００４７】
通常観察時には、照明光の光路上に図２の回転フィルタ14の第1のフィルタ組であるR1フィルタ14r1、G1フィルタ14g1、B1フィルタ14b1に位置するようにビデオプロセッサの7内のモード切替回路４２が制御信号によりモード切替モータ19を制御する。
【００４８】
体腔内組織51の通常観察時におけるR1フィルタ14r1、G1フィルタ14g1、B1フィルタ14b1は、図3に示したように各波長域がオーバーラップしているために、B1フィルタ14b1によるCCD２で撮像される撮像信号には図7（a）に示すような浅層での組織情報を多く含む浅層及び中層組織情報を有するバンド画像が撮像され、またG1フィルタ14g1によるCCD２で撮像される撮像信号には図7（ｂ）に示すような中層での組織情報を多く含む浅層及び中層組織情報を有するバンド画像が撮像され、さらにR1フィルタ14r1によるCCD２で撮像される撮像信号には図7（ｃ）に示すような深層での組織情報を多く含む中層及び深層組織情報を有するバンド画像が撮像される。
【００４９】
ここで、接続した電子内視鏡2の撮像光学系21の明るさ絞り直後の平面部（瞳43）には、図9に示す、分光透過率分布の範囲を有する。すなわち半径の小さいaの部分は図10（a）に示す分光透過率特性を持ち、半径の大きいbの部分は図10（b）に示す分光透過率特性を持つ。したがって、赤（R）色光以外の波長帯域の有効Fナンバーが小さくなり、開口の大きくなった青（B）色光及び緑（G）色光は情報量が多くなり、赤（R）色光に対して青（B）色光及び緑（G）色光はコントラストの高い画像が撮像光学系のみで実現されている。
【００５０】
この分光透過率分布の範囲は円形である必要はなく、コントラストを上げたい波長帯域に対して光の透過量を多く設定すればよい。
図23に撮像光学系の断面図を示す。ここで、撮像光学系の明るさ絞り57のすぐ後ろには、平面部を設けた光学素子58が配置してあり、光学素子58の平面部表面に上記図10に示す分光透過率分布を持たせるような薄膜が備わっている。この光学素子58は、明るさ絞りの前に合っても良く、さらに光学素子に対して径方向に透過率分布を持つ吸収型のフィルタでも良い。
【００５１】
そしてさらにビデオプロセッサ7により、これらRGB撮像信号を同時化して信号処理することで、内視鏡画像としては所望の、あるいは自然な色再現の内視鏡画像を得ることが可能となる。
【００５２】
一方、光源装置4の回転フィルタ14のモード切替は、通常観察時に光路上にあった回転フィルタ14の第1のフィルタ組を移動させ第2のフィルタ組を光路上に配置するように回転フィルタ14を光路に対して駆動する。
【００５３】
第2のフィルタ組による体腔内組織51の狭帯域光観察時におけるR2フィルタ14r2、G2フィルタ14g2、B2フィルタ14b2は、照明光を図4に示したように離散的な分光特性の狭帯域な面順次光とするために、B2フィルタ14b2によるCCD２で撮像される撮像信号には、図8（a）に示すような浅層での組織情報を有するバンド画像が撮像され、またG2フィルタ14g2によるCCD２で撮像される撮像信号には図8（b）に示すような中層での組織情報を有するバンド画像が撮像され、さらにR2フィルタ14r2によるCCD２で撮像される撮像信号には図8（c）に示すような深層での組織情報を有するバンド画像が撮像される。
【００５４】
このように本実施例では、体腔内組織51の通常観察時に、必要に応じて回転フィルタ14の第1のフィルタ組から第2のフィルタ組に切り替えて狭帯域光観察に移行でき、この狭帯域光観察においては回転フィルタ14の第2のフィルタ組により、体腔内組織51のそれぞれの層の組織情報を分離した状態で撮像信号として得ることができる。これにより、第1のフィルタ組による観察で多くの場合必要であろう深部情報を、高いコントラストで観察しやすい画像で確認し、さらに第2のフィルタ組に切り替えて、ある特定の深部情報のみをターゲットとして観察する事が可能になる。
（実施例２）
実施例2は、実施例１とは異なる点のみ説明し、同一の構成には同じ符号を付け説明は省略する。
【００５５】
本実施例の撮像光学系21を、図24に示す。本実施例の撮像光学系は、図10(b)に示す赤色以外の波長帯域の有効Fナンバーが小さくなるような分光透過率分布を光学素子58は備え、光学素子58の後ろには、光位相マスクである瞳変調素子のような空間周波数特性変換手段13が備わっている。これは、開口を大きくした図10（b）の波長帯域において、空間周波数特性を変換する前に比べて或るレンジの物体距離にわたって光伝達関数が不感になる。
【００５６】
この変換された空間周波数特性に対して、ビデオプロセッサ7内の画像処理回路によって青（B）色光と緑（G）色光に対する信号のみ空間周波数復元処理を行なうことにより、コントラストの高くなった波長帯域のみの被写界深度が増大する。これにより、比較的高周波数成分の多い青（B）色光帯域と緑（G）色光帯域において広い被写界深度範囲で高コントラストを実現でき、より内視鏡観察に有効な画像を提供できる。
（実施例３）
実施例３は、実施例１とは異なる点のみ説明し、同一の構成には同じ符号を付け説明は省略する。
【００５７】
本実施例の撮像光学系21は、図９において、瞳を大きくする領域56の分光透過率特性が図25に示すようなものを持つ。これは、青色と緑色の波長帯を含む帯域の瞳の面積が大きくなる。よって内視鏡照明によって青色の光が散乱、吸収される生体組織の表層付近及び緑色の光が散乱、吸収される生体組織の表層よりやや深い部分の、癌の病変を診断する際に見たい組織深部部位に対し、コントラストが高く、明るい観察が可能になる。
（実施例４）
実施例４は、実施例１は異なる点のみ説明し、同一の構成には同じ符号を付け説明は省略する。
【００５８】
本実施例の撮像光学系21は、図９において、瞳を大きくする領域56の分光透過率特性を図26に示すような青色帯域のみを透過させ、青色帯域のみのコントラストを高くする。
【００５９】
また、光学素子58の後ろには、光位相マスクである瞳変調素子のような空間周波数特性変換手段13が備わっている。これは、開口を大きくした図26の波長帯域において、空間周波数特性を変換する前に比べて或るレンジの物体距離にわたって光伝達関数が不感になる。
【００６０】
この変換された空間周波数特性に対して、ビデオプロセッサ7内の画像処理回路によって青（B）色光に対する信号のみ空間周波数復元処理を行なうことにより、コントラストの高くなった波長帯域のみの被写界深度が増大する。これにより、比較的高周波数成分の多い青（B）色光帯域において広い被写界深度範囲で高コントラストを実現でき、より内視鏡観察に有効な画像を提供できる。
（実施例５）
実施例５は、実施例１とは異なる点のみ説明し、同一の構成には同じ符号を付け説明は省略する。
【００６１】
本実施例の撮像光学系21は、瞳を大きくする領域56の分光透過率特性が図31に示すようなものを持つ。これは、
400nm≦λ≦430nm  かつ  550nm≦λ≦580nm
の波長帯の瞳が大きくなる。これにより生体粘膜表層に分布する毛細血管の構造とこの層より深い中層の毛細血管と毛細血管よりも太い血管の構造を効率よく抽出することができる。
（実施例６）
実施例６は、実施例１とは異なる点のみ説明し、同一の構成には同じ符号を付け説明は省略する。
【００６２】
本実施例の撮像光学系21は、瞳を大きくする領域56の分光透過率特性が図32に示すようなものを持つ。これは、
400nm≦λ≦430nm
の波長帯の瞳が大きくなる。これにより生体粘膜表層に分布する毛細血管の構造を効率よく抽出することができる。
（実施例７）
実施例７は、実施例１とは異なる点のみ説明し、同一の構成には同じ符号を付け説明は省略する。
【００６３】
本実施例の光源4は、B2フィルタB2、G2、R2の替わりに、図27に分光特性を示すような、励起光用のFフィルタ14ｆ、G3、R3にして、第2のフィルタ組を構成する。上記第2のフィルタ組を用いて照明したときの被写体からの反射光と蛍光を図28に示した。
【００６４】
Fフィルタ14fによる狭帯域の励起光を生体組織に照射すると、図27に示すような波長の蛍光が生体組織より発光される。但し、上記蛍光の光量はFフィルタ14ｆ、G３、R3の反射光に比べ１／１０〜１／１００と非常に微弱であるため、図28では例えば１００倍して表記している。蛍光観察は、腫瘍部位と正常部位を明暗を用いて区別するので、腫瘍部位の範囲を正確に観察を行なえるようにする為に、図27に示す蛍光を発する波長帯域の有効Fナンバーが小さくなるような分光透過率分布を光学素子58は備え、光学素子58の後ろには、光位相マスクである瞳変調素子のような空間周波数特性変換手段13が備わっている。これは、開口を大きくした図10（b）の波長帯域において、空間周波数特性を変換する前に比べて或るレンジの物体距離にわたって光伝達関数が不感になる。
【００６５】
この変換された空間周波数特性に対して、ビデオプロセッサ7内の画像処理回路によって瞳を大きくした波長帯域に対する信号に対して空間周波数復元処理を行なうことにより、被写界深度が増大する。これによりスコープの位置を生体に対して固定しなくてもピントずれがないので、観察がし易くなり、腫瘍部位と正常部位の境界を特定する場合などには大変有効である。
【００６６】
また、上記光学素子は、蛍光を受光する期間、G３の反射光を受光する期間、R３の反射光を受光する期間の３つの期間毎に分光透過率分布が変化する特性をもっているものでも良い。蛍光を受光する期間では図２８におけるFフィルタ14fの反射光をカットし、蛍光波長域の有効Fナンバーが小さくなるような分光透過率分布を備える。G３、R３の反射光を受光する期間では、図２８におけるG３、R３の反射光の波長域の総光量が１／１０〜１／１００程度になるような分光透過率分布を備える。このようにする事によって、腫瘍部位の蛍光画像とG３、R３の反射光から作った背景画像と合成して腫瘍の範囲が明るく明瞭に表示され、しかも背景とのコントラストのよいカラー画像を得ることができる。
（実施例８）
実施例８では、実施例７とは異なる点のみ説明し、同一の構成には同じ符号を付け説明は省略する。
【００６７】
本実施例の撮像光学系21は、瞳を大きくする領域56の分光透過率特性が図33に示すようなものを持つ。これは、
550nm≦λ≦600nm
の波長帯の瞳が大きくなる。これにより蛍光像を効率よく抽出することができる。
（実施例９）
実施例９では、通常観察時には、回転フィルタ86は光路上より抜去され、白色光が生体組織に照射される。そして、この白色光による生体組織像がカラーCCD2aにより撮像される。このときCCD2aの前面のカラーチップ101の分光特性を図２９に示す。
【００６８】
図３０に示すように、本実施例の電子内視鏡3ではCCD2の前面にカラーチップ101を配置し、カラーCCD2aを構成して、同時式の内視鏡装置1を構成している。カラーCCD2aからのカラー撮像信号は、A/D変換器24でカラー画像データに変換された後、色分離回路102で色分解され、ホワイトバランス回路25に入力され、メモリ103に格納された後、画像処理回路30で補間処理等なされた後所望の画像処理がなされるようになっている。
【００６９】
撮像光学系21は、図10(b)の赤色以外の波長帯域の有効Fナンバーが小さくなるような分光透過率分布を光学素子58は備え、光学素子58の後ろには、光位相マスクである瞳変調素子のような空間周波数特性変換手段13が備わっている。これは、開口を大きくした図10（b）の波長帯域において、空間周波数特性を変換する前に比べて或るレンジの物体距離にわたって光伝達関数が不感になる。
【００７０】
この変換された空間周波数特性に対して、ビデオプロセッサ7内の画像処理回路によって青（B）色光と緑（G）色光に対する信号のみ空間周波数復元処理を行なうことにより、コントラストの高くなった波長帯域のみの被写界深度が増大する。これにより、比較的高周波数成分の多い青（B）色光帯域と緑（G）色光帯域において広い被写界深度範囲で高コントラストを実現でき、より内視鏡観察に有効な画像を提供できる。
【００７１】
このように、白色光を直接被写体に照明する同時式の内視鏡装置においても、撮像光学系の瞳の近傍に上記のような透過率分布を与える事で、同様の効果が得られる。
【００７２】
以上説明したように、本発明による内視鏡装置は、下記に示す特徴を備える。
（１）  内視鏡装置において、光源と内視鏡と信号処理手段から成り、前記光源は可視光領域を含む光源で、前記内視鏡は前記光源による戻り光を撮像する撮像光学系を有する内視鏡で、前記信号処理手段は前記撮像光学系からの撮像信号を処理する信号処理手段であり、被写体からの戻り光のうち強調したい波長帯に対して、瞳の面積が大きくなるように前記撮像光学系瞳近傍に分光透過率分布を備えることを特徴とする内視鏡装置。
（２）  各物体距離における撮像光学系の光伝達関数を光学的に変更して被写界深度を増大させる光位相マスクを備えていて、前記光位相マスクは、前記瞳面積を大きくした波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（１）項に記載の内視鏡装置。
（３）  撮像光学系の瞳の面積は、赤色以外の可視光の波長帯が大きくなるように前記撮像光学系瞳近傍に分光透過率分布を備えることを特徴とする（１）項に記載の内視鏡装置。
（４）  各物体距離における撮像光学系の光伝達関数を光学的に変更して被写界深度を増大させる光位相マスクを備えていて、前記光位相マスクは、前記瞳面積を大きくした赤色以外の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（３）項に記載の内視鏡装置。
（５）  前記光源から照明光は、少なくとも一つの離散的な分光分布を持つ赤色、緑色、青色の回転フィルタを介した狭帯域な面順次光であることを特徴とする（１）項に記載の内視鏡装置。
（６）  各物体距離における撮像光学系の光伝達関数を光学的に変更して被写界深度を増大させる光位相マスクを備えていて、前記光位相マスクは、前記瞳面積を大きくした赤色以外の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（５）項に記載の内視鏡装置。
（７）  前記撮像光学系の瞳の面積を大きくする赤色以外の波長帯は
400nm≦λ≦430nm  及び  550nm≦λ≦580nm
の波長帯を含んでいることを特徴とする（６）項に記載の内視鏡装置。
（８）  撮像光学系の瞳の面積は、青色の可視光の波長帯が大きくなるように前記撮像光学系瞳近傍に分光透過率分布を備えることを特徴とする（１）項に記載の内視鏡装置。
（９）  各物体距離における撮像光学系の光伝達関数を光学的に変更して被写界深度を増大させる光位相マスクを備えていて、前記光位相マスクは、前記瞳面積を大きくした青色の可視光の波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（８）項に記載の内視鏡装置。
（１０）  前記光源からの照明光は、少なくとも一つの離散的な分光分布を持つ赤色、緑色、青色の回転フィルタを介した狭帯域な面順次光であることを特徴とする（８）項に記載の内視鏡装置。
（１１）  撮像光学系内に被写界深度を増大させる光位相マスクを備え、瞳の面積を大きくした青色の可視域の波長帯に対して前記光位相マスクは、前記光位相マスクによって変更されていない光伝達関数に比べて、被写体の距離に対して光伝達関数がほとんど変化しないように構成及び配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（１０）項に記載の内視鏡装置。
（１２）  前記撮像光学系の瞳の面積を大きくする青色の可視域の波長帯は
400nm≦λ≦430nm
の波長帯を含んでいることを特徴とする（１１）項に記載の内視鏡装置。
（１３）  内視鏡装置において、光源と内視鏡と信号処理手段から成り、前記光源は、光感受性物質または体腔組織の自家蛍光の励起波長領域にある励起光を生体内部に照射する励起光光源で、前記内視鏡は、前記励起光が照射された部位から発せられた蛍光像を撮像する撮像光学系を有する内視鏡で、前記信号処理手段は前記撮像光学系からの撮像信号を処理する信号処理手段であり、前記撮像光学系は、蛍光波長帯に対して瞳の面積が大きくなるように、前記撮像光学系瞳近傍に分光透過率分布を備えることを特徴とする内視鏡装置。
（１４）  各物体距離における撮像光学系の光伝達関数を光学的に変更して被写界深度を増大させる光位相マスクを備えていて、前記光位相マスクは、前記瞳面積を大きくした蛍光波長帯に対して蛍光内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段になっていることを特徴とする（１３）項に記載の内視鏡装置。
（１５）  前記撮像光学系の瞳の面積を大きくする波長帯は
550nm≦λ≦600nm
を含んでいることを特徴とする（１４）項に記載の内視鏡装置。
（１６）  内視鏡装置において、光源と内視鏡と信号処理手段から成り、前記光源は可視光領域を含む光源で、前記内視鏡は前記光源による戻り光を撮像する撮像光学系を有し、さらに、各物体距離における撮像光学系の光伝達関数を光学的に変更して被写界深度を増大させる光位相マスクを備えていて、前記光位相マスクは、前記瞳面積を大きくした波長帯に対して内視鏡実用被写界深度の範囲で物体距離によらず上記光伝達関数がほぼ一定となるように構成および配置され、さらに、前記信号処理手段に接続され、前記信号処理手段は、前記光位相マスクによって行われた前記光伝達関数の変更を反転することによって前記記録された光イメージの電気的表示を復元するための被写界深度ポスト処理手段を含む信号処理手段であり、前記撮像光学系は、被写体からの戻り光のうち強調したい波長帯に対して、瞳の面積が大きくなるように前記撮像光学系瞳近傍に分光透過率分布を備えることを特徴とする内視鏡装置。
（１７）  撮像光学系の瞳の面積は、赤色以外の可視光の波長帯が大きくなるように前記撮像光学系瞳近傍に分光透過率分布を備えていることを特徴とする（１６）項に記載の内視鏡装置。
（１８）  前記光源からの照明光は、少なくとも一つの離散的な分光分布を持つ赤色、緑色、青色の回転フィルタを介した狭帯域な面順次光であることを特徴とする（１６）項に記載の内視鏡装置。
（１９）  撮像光学系の瞳の面積は、青色の可視光の波長帯が大きくなるように前記撮像光学系瞳近傍に分光透過率分布を備えていることを特徴とする（１６）項に記載の内視鏡装置。
（２０）  前記光源からの照明光は、少なくとも一つの離散的な分光分布を持つ赤色、緑色、青色の回転フィルタを介した狭帯域な面順次光であることを特徴とする（１６）項に記載の内視鏡装置。
【００７３】
【発明の効果】
以上の説明から明らかなように、本発明によると、撮像光学系内の瞳近傍に分光透過率分布を与え、所望の体腔組織深部情報の波長域に対して明るい光学系が得られ、その結果所望の組織深部情報をコントラストの高い、内視鏡観察として最適化された画像が実現できる。さらに本発明によると、被写界深度を増大する光位相マスクと画像処理を用いれば、明るく、被写界深度の深い内視鏡画像が実現できる。
【図面の簡単な説明】
【図１】  本発明の実施例１の内視鏡装置の構成を示す概略図である。
【図２】  本発明の回転フィルタの構成を示す図である。
【図３】  本発明の回転フィルタの第1のフィルタ組の分光特性を示す図である。
【図４】  本発明の回転フィルタの第２のフィルタ組の分光特性を示す図である。
【図５】  生体組織の層方向構造を示す図である。
【図６】  生体組織の層方向への照明光の到達状態を説明する図である。
【図７】  第１フィルタ組を透過した面順次光による各バンド画像を示す図である。
【図８】  第２のフィルタ組を透過した面順次光による各バンド画像を示す図である。
【図９】  本発明の撮像光学系の明るさ絞り直後の平面部の構成を示す図である。
【図１０】  本発明の撮像光学系の明るさ絞り直後の平面部の分光特性を示す図である。
【図１１】  本発明の被写界深度拡大光学系の構成を概略的に示す図である。
【図１２】  本発明の光位相マスクの外観形状を示す斜視図である。
【図１３】  通常の光学系において物体が焦点位置にあるときの光学的伝達関数の強度分布を示すグラフである。
【図１４】  通常の光学系において物体が焦点位置から外れたときの光学的伝達関数の強度分布を示すグラフである。
【図１５】  通常の光学系において物体が焦点位置から図１４のときよりも更に外れたときの光学的伝達関数の強度分布を示すグラフである。
【図１６】  被写界深度拡大光学系において物体が焦点位置にあるときの光学的伝達関数の強度分布を示すグラフである。
【図１７】  被写界深度拡大光学系において物体が焦点位置から外れたときの光学的伝達関数の強度分布を示すグラフである。
【図１８】  被写界深度拡大光学系において物体が焦点位置から図１７のときよりも更に外れたときの光学的伝達関数の強度分布を示すグラフである。
【図１９】  被写界深度拡大光学系において光学的伝達関数の強度分布に対して行われる処理の逆フィルタの特性を示すグラフである。
【図２０】  図１６の光学的伝達関数の強度分布に対して図１９の特性を持つ逆フィルタによる処理を行なって得られる光学的伝達関数の強度分布を示すグラフである。
【図２１】  図１７の光学的伝達関数の強度分布に対して図１９の特性を持つ逆フィルタによる処理を行なって得られる光学的伝達関数の強度分布を示すグラフである。
【図２２】  図１８の光学的伝達関数の強度分布に対して図１９の特性を持つ逆フィルタによる処理を行なって得られる光学的伝達関数の強度分布を示すグラフである。
【図２３】  本発明の実施例１の撮像光学系の断面図である。
【図２４】  本発明の実施例２の撮像光学系の断面図である。
【図２５】  本発明の実施例３の撮像光学系において、瞳を大きくする領域の分光透過率特性を示すグラフである。
【図２６】  本発明の実施例４の撮像光学系において、瞳を大きくする領域の分光透過率特性を示すグラフである。
【図２７】  本発明の実施例７の回転フィルタの第２のフィルタ組の分光特性を示す図である。
【図２８】  図２７の特性を持つフィルタ組により照明した時の被写体からの反射光と蛍光の強度を示すグラフである。
【図２９】  本発明の実施例９のカラーチップの分光特性を示す図である。
【図３０】  本発明の実施例９の内視鏡装置の構成を示す構成図である。
【図３１】  本発明の実施例５の撮像光学系において、瞳を大きくする領域の分光透過率特性を示すグラフである。
【図３２】  本発明の実施例６の撮像光学系において、瞳を大きくする領域の分光透過率特性を示すグラフである。
【図３３】  本発明の実施例８の撮像光学系において、瞳を大きくする領域の分光透過率特性を示すグラフである。
【図３４】  被写界深度を説明するための図である。
【符号の説明】
１    内視鏡装置
２    撮像素子
３    電子内視鏡
４    光源装置
５    観察モニター
６    デジタルファイリング装置
７    ビデオプロセッサ
１０    電源
１１    キセノンランプ
１２    熱線カットフィルタ
１３    空間周波数特性変換手段
１３'    絞り装置
１４    回転フィルタ
１７、４５    制御回路
１８    回転フィルタモータ
１９    モード切替モータ
２０    ＣＣＤドライバ
２１    撮像光学系
２２    アンプ
２３    プロセス回路
２４    Ａ／Ｄ変換器
２５    ホワイトバランス回路
２６    セレクタ
３０    画像処理回路
３１、３２、３３    Ｄ／Ａ回路
３４    符号化回路
３５    タイミングジェネレータ
４１    判別回路
４２    モード切替回路
４３    瞳
４４    メモリ
【図１】
0004147033.tif 000002
【図２】
0004147033.tif 000003
【図３】
0004147033.tif 000004
【図４】
0004147033.tif 000005
【図５】
0004147033.tif 000006
【図６】
0004147033.tif 000007
【図７】
0004147033.tif 000008
【図８】
0004147033.tif 000009
【図９】
0004147033.tif 000010
【図１０】
0004147033.tif 000011
【図１１】
0004147033.tif 000012
【図１２】
0004147033.tif 000013
【図１３】
0004147033.tif 000014
【図１４】
0004147033.tif 000015
【図１５】
0004147033.tif 000016
【図１６】
0004147033.tif 000017
【図１７】
0004147033.tif 000018
【図１８】
0004147033.tif 000019
【図１９】
0004147033.tif 000020
【図２０】
0004147033.tif 000021
【図２１】
0004147033.tif 000022
【図２２】
0004147033.tif 000023
【図２３】
0004147033.tif 000024
【図２４】
0004147033.tif 000025
【図２５】
0004147033.tif 000026
【図２６】
0004147033.tif 000027
【図２７】
0004147033.tif 000028
【図２８】
0004147033.tif 000029
【図２９】
0004147033.tif 000030
【図３０】
0004147033.tif 000031
【図３１】
0004147033.tif 000032
【図３２】
0004147033.tif 000033
【図３３】
0004147033.tif 000034
【図３４】
0004147033.tif 000035